(57)【特許請求の範囲】
【請求項１】
電磁アクチュエータであって、アーマチュア（４）に関連する作動部材を有し、かつ少なくとも１つの電磁石の作用下で動くことができ、
コイル（３）と、コア（２）と、２つの永久磁石（１３）とを備え、
前記コア（２）は、コイルの磁束を導き、アーマチュアに復帰路を形成するようになっており、前記コア（２）は、ベース（１０）を有し、前記ベース（１０）からはブランチが延び、ブランチには、まわりにコイルが延びる中心ブランチが含まれ、
２つの永久磁石（１３）は、前記コアに関連し、前記コアが永久磁石の磁束を導き、アーマチュアに復帰路を形成するようになっており、コイルの磁束は、磁石を通過し、
２つの永久磁石は、Ｖ字形を形成するように前記コアの中心ブランチに配置され、Ｖ字形は、中心ブランチを支持部（１２）とエンド部（１４）とに分離し、支持部（１２）は、永久磁石を支持し、前記ベースと一体となっており、エンド部（１４）は、永久磁石を覆い、
前記電磁アクチュエータは、前記エンド部（１４）を前記永久磁石（１３）に押圧するための押圧手段（１８）を備え、
前記押圧手段（１８）は、非磁性クランプを備え、前記非磁性クランプは、細長い部分（１９）と、少なくとも１つの支柱（２０）とを有し、前記細長い部分（１９）は、前記永久磁石（１３）に平行な、エンド部（１４）の作用面の溝（１７）内にあり、前記支柱（２０）は、この細長い部分（１９）から延び、前記エンド部（１４）を貫通し、前記永久磁石（１３）の間を通ることを特徴とする電磁アクチュエータ。
【請求項２】
前記永久磁石によって形成されるＶ字形の折り曲げ点は、前記ベース（１０）に向かい、前記エンド部（１４）はクサビ形となっている、請求項１記載の電磁アクチュエータ。
【請求項３】
前記エンド部（１４）は、前記アーマチュア（４）を向く作用端面（１５）を有し、前記永久磁石（１３）に平行な溝（１７）が存在する、請求項１記載の電磁アクチュエータ。
【請求項４】
支持部（１２）とエンド部（１４）の一方は、前記永久磁石の間に係合するポイントを形成し、他方は、前記永久磁石によって形成されたＶ字形のベースに空間（３０）を有する、請求項１記載の電磁アクチュエータ。
【請求項５】
前記空間（３０）は、使用中に、磁束が、前記コアの支持部（１２）とエンド部（１４）の間を通過するのを防止するのに十分な深さを有する、請求項４記載の電磁アクチュエータ。
【請求項６】
中心ブランチのエンド部は、他のブランチの端面（１６）に対し、ある値（ｈ）だけセットバックしている端面（１５）を有する、請求項１記載の電磁アクチュエータ。
【請求項７】
前記セットバックの値（ｈ）は、０.１ｍｍ〜０.３５ｍｍの範囲内にある、請求項６記載の電磁アクチュエータ。
【発明の詳細な説明】
【技術分野】
【０００１】
本発明は、永久磁石がＶ字形に配置された電磁アクチュエータに関する。
【背景技術】
【０００２】
特許文献１は、コイルと、このコイルの磁束を通過させ、アーマチュア内に復帰路を形成するようになっているコアとを備え、電磁石の作用により移動できるアーマチュアに関連する作動部材を有する電磁アクチュエータを開示している。
【０００３】
コアはベースを有し、このベースから、中心ブランチを含むブランチが延び、中心ブランチのまわりをコアが延びている。電磁石は、２つの永久磁石を備え、これらの永久磁石は、コアが電磁石の磁束を通過させ、アーマチュア内に復帰路を形成し、コイルの磁束が磁石を貫通するように、コア内に組み込まれている。
【０００４】
前記特許文献１に記載された実施例の１つでは、コアの側方ブランチ内に、永久磁石が斜めに配置されており、これによって、電磁石の高さを高くすることなく、コイルの高さに実質的に等しい長さを有する磁石をコア内に収容することが可能となっている。
【特許文献１】フランス国特許FR2865238号
【発明の開示】
【発明が解決しようとする課題】
【０００５】
しかし、上記の構成は、磁石を挿入できるように積層コアをカットしなければならないことを意味し、そのため、積層コアが機械的に弱体化し、組み立て上の問題が生じる。更に、積層コアと永久磁石との間のギャップは、積層コアをカットする精度に応じて決まるが、このカットを制御することは困難である。
【０００６】
本発明の目的は、組み立てが容易な、斜めの磁石を有する電磁アクチュエータを提供することにある。
【課題を解決するための手段】
【０００７】
この目的を達成するために、本発明は、アーマチュアと関連する少なくとも１つの電磁石の作用により移動させられる作動部材を有する電磁アクチュエータであって、コイルと、前記アーマチュアの磁束の復帰路を形成するように、コイルの磁束を通過させるコアを備え、このコアは、ベースを有し、このベースから、中心ブランチを含むブランチが延びており、かつ中心ブランチのまわりに、コイルが延びており、前記コアは、前記アーマチュア内に復帰路を形成し、前記永久磁石の磁束を通過させ、前記コイルの磁束が前記電磁石を貫通するよう、前記コアに関連する２つの永久磁石とを備える電磁アクチュエータにおいて、前記２つの永久磁石は、前記コアの中心ブランチ内に配置されていて、Ｖ字形を形成し、このＶ字形は、前記永久磁石を支持するとともに、前記ベースと一体的な支持部と前記永久磁石の上にあるエンド部分に、前記中心ブランチを分離するようになっていることを特徴とする電磁アクチュエータに関する。
【０００８】
コアは、磁石を支持するための部分を内蔵する主要部分（永久磁石を位置決めするために、この部分へアクセスすることは完全に自由である）と、前記部品に設置された磁石に取り付けられ、支持部分よりも上方に位置するエンド部分とに分離されており、エンド部分は、永久磁石によって形成されたＶ字形上に自らセンタリングされる。従って、このアクチュエータの組み立ては、容易となっている。
【０００９】
従って、永久磁石とコアを構成する積層部との間のギャップを低減または解消するには、エンド部品に圧縮力を加えるだけで十分である。
【００１０】
添付図面を参照し、次の説明を読めば、本発明について、よりよく理解できると思う。
【発明を実施するための最良の形態】
【００１１】
図１に示すように、本発明の電磁アクチュエータは、コア２とコイル３を有する電磁石１を備えている。この電磁石１は、電磁力を、軸線に沿って移動できるプッシュロッド５と一体的なアーマチュア４に、制御された態様で加える。
【００１２】
このアクチュエータは、例えば内燃機関のバルブを作動させるのに使用され、プッシュロッド５がバルブのスライド軸線に沿うように配置されている。公知のように、アクチュエータは、アーマチュア４を選択的に反対方向に引き寄せるよう、電磁石１に対向している別の電磁石（図示せず）を備えている。
【００１３】
プッシュロッド５の端部とバルブの端部とは、対向するスプリング（図示せず）により、互いに向き合っている。これにより、２つの電磁石の間のほぼ中間部にアーマチュア４が延びる、プッシュロッド５とバルブとの組立体の平衡位置が得られている。
【００１４】
電磁石１のコア２は、ベース１０を有し、このベース１０から、２つの側方ブランチ１１および中央ブランチが延びており、前記中央ブランチのまわりに、コイル３が位置している。
【００１５】
中央ブランチは、ベース１０と一体的な対向する傾斜面を有する２つの支持部１２を備え、この支持部１２は、コア２を支持するようになっている。この支持部１２は、永久磁石１３がＸ軸に対して斜めに延び、Ｖ字状を形成するよう、永久磁石１３を収納するようになっている。Ｖ字形の先端は、ベース１０に向いている。従って、中央ブランチの端部を形成するＶ字形クサビ１４が形成されている。
【００１６】
図１には、アーマチュア４内に復帰路を形成するよう、コア２を貫通する永久磁石１３によって発生された磁束ライン路が、太い点線で示されている。クサビ１４の作用端面１５には、永久磁石１３と平行な溝１７が形成されている。この溝１７は、溝１７のいずれかの側面を通る永久磁石１３の２つの磁束ラインをシャープに分離している。
【００１７】
図３（図１に対して、コアを上下逆に示されている）から分かるように、このアクチュエータは、次のように取り付けられている。
【００１８】
ベース１０、側方ブランチ１１および支持部である中央ブランチ１２を有する積層部を組み立ててコア２を形成した後、中央ブランチの支持部１２の所定位置に永久磁石１３を挿入する。これに関連し、中央ブランチの支持部１２には、永久磁石１３の位置決めを容易にするための凹入段部５０が設けられている。対応する積層部を組み立ててクサビ１４を形成した後、矢印で示すように、永久磁石１３にクサビ１４を取り付ける。このクサビ１４は、永久磁石１３の上方に位置し、永久磁石１３によって形成されたＶ字形によって、自動的にセンタリングされる。
【００１９】
図３は、２本のプッシュロッド（図示せず）を作動させるようになっているダブルアクチュエータを示す。このダブルアクチュエータは、２つのコイル３、３と、図１に示されているコアと同じ２つのコアを並置して、ブランチの単一ブランチを形成することによって得られる共通のコア２とを備えている。
【００２０】
前と同じように、このコア２は、中央ブランチを有し、この中央ブランチのまわりにコイル３が位置している。この中央ブランチ１２は、永久磁石１３を支持する支持部１２とクサビ１４とを有する。
【００２１】
組立体全体を所定位置に保持するために、非磁性クランプ１８が使用されている。このクランプ１８は、クサビ１４の作用端面１５における溝１７内に収容された細長い部材１９と支杆２０を有する。
【００２２】
この支杆２０は、クサビ１４を貫通する孔内に進入して、永久磁石１３の間に延び、最後にコア２における孔（図示せず）に進入し、例えばネジ留め、またはリベット締めによって、コアに締結されるようになっている（変形例として、支杆をコア２へ貫通させ、本体１００に直接固定できる）。
【００２３】
非磁性クランプにより、一方の支持部１２と永久磁石１３との間、また、他方の永久磁石１３とクサビ１４との間の製造公差に起因して残留する残留ギャップをなくすか、または解消するように、圧縮力を加えることが可能となっている。このようにして、ギャップをなくすことにより、アクチュエータの磁気効率を高めることができる。
【００２４】
図１に示されている本発明の１つの特徴として、クサビ１４の端面１５は、側方ブランチ１１の端面１６に対して、値ｈだけセットバックされている。
【００２５】
従って、アーマチュア４がコア２に当接すると、アーマチュアは、側方ブランチ１１の端面１６にしか当接せず、中央ブランチには当接しない。
【００２６】
一般に、永久磁石が粉末材料を焼結することにより製造されているとき、この永久磁石は、衝撃に対して極めて敏感である。アーマチュア２がコア４に衝突したときのショックから永久磁石１３を保護することが、セットバックｈにより可能となっており、そのため、アクチュエータの寿命が長くなっている。
【００２７】
更に、かかるセットバックがないと、コアの製造公差により、アクチュエータのアーマチュアとブランチとの間に残留ギャップが生じ、コア２からアーマチュア４を繰り返し分離させる可能性を減じるような磁気ヒステリシスを生じさせる。しかし、前記したセットバックにより、このヒステリシスを低減または解消することが可能となっている。
【００２８】
この目的のために、１ｍｍの１０分の１の数倍程度の大きさのセットバックｈを設けることが好ましい。すなわち、セットバックの値ｈは、アーマチュアと中心ブランチとの間に大きなギャップを形成するようなギャップよりも、相当に大きくすることが好ましい。このような大きなギャップは、アーマチュアがコアに接近しているときの残留ギャップの大きさをより大とする。これによって、残留ギャップに生じる磁気ヒステリシスの影響は、低減または解消させられる。
【００２９】
実際には、アクチュエータの性能を低下させないよう、０.３６ｍｍ未満に維持しながら、０.１ｍｍより大きいセットバックの値ｈを選択することが好ましい。
【００３０】
特に、図１および図２により分かる、本発明の特定の特徴によれば、コア２は、Ｖ字形の先端近くにおいて、永久磁石１３の間に延びる空間３０を有し、この空間３０に、クサビ１４の先端３１が位置している。クランプ１８によりクサビ１４がクランプされるが、クサビ１４の角度がかなり鋭角になっているので、Ｘ軸線に沿った先端１３の位置が大きく分散する。この空間３０により、先端３１とコア２の残りの部分との接触は防止され、かつこの分散を吸収することが可能となっている。
【００３１】
更に、クサビ１４とベース１０との間に、十分に大きいギャップを形成するために、空間３０は、十分に深いものとされ、これにより、使用中、磁束がクサビ１４とベース１０との間を通過し、永久磁石１３を短絡することが防止される。
【００３２】
最後に、空間３０は、永久磁石１３がＶ字形の先端を形成する場所で、永久磁石１３のベースにおいて、非磁性領域を形成し、よって、コアのこの領域にある永久磁石１３の磁束ラインを、シャープに分離することが可能となっている。
【００３３】
本発明は、上に説明したものだけに限定されるものではなく、むしろ逆に、特許請求の範囲によって定められる範囲内の変形例を含むものである。
【００３４】
特に、永久磁石がＶ字形をなし、このＶ字形の先端が、コアのベースに向いているアクチュエータについて述べたが、先端がアーマチュアに向いた状態のＶ字形を磁石が形成するように、磁石を配置することも可能である。この際、ベースの磁石支持部品は、傾斜面を有するが、この傾斜面は、互いには対向せず、側方ブランチに向いており、一方、中心ブランチの端部は、クサビ形ではなく、帽子形となる。
【図面の簡単な説明】
【００３５】
【図１】本発明に係わるアクチュエータの部分断面略図である。
【図２】取り付け中の図１のアクチュエータの部分略図である。
【図３】本発明に係わるダブル電磁アクチュエータの一部分解切り欠き斜視図である。
【符号の説明】
【００３６】
１    電磁石
２    コア
３    コイル
４    アーマチュア
５    プッシュロッド
１０    ベース
１１    側方ブランチ
１２    支持部
１３    永久磁石
１４    エンド部
１５    作用端面
１６    端面
１７    溝
１８    クランプ
１９    細長い部材
２０    支杆
３０    空間
３１    先端
５０    凹入段部
１００  本体
【図１】
0005394068.tif 000002
【図２】
0005394068.tif 000003
【図３】
0005394068.tif 000004